(57)【要約】【課題】がた付きなく取り付けることができ、且つ、取り付け作業及び取り外し作業が容易に行えるスタートスイッチユニットの取付構造の提供。【解決手段】スタートスイッチ４をドアフレーム２Ａの裏側から固定するナット７に固定用雌ネジ７３を複数設け、その一部に螺合した雄ネジ部材７２を締め付けることで、スタートスイッチ４の中心軸からずれた位置に、ナット７とドアフレーム２Ａとの間隔を押し拡げる負荷を発生させる。これにより、スタートスイッチ４とナット７との間のがた付きを解消し、かつ、ナット７を手で締め付けた後、一般的なドライバーで雄ネジ部材７２を締め付けることで、狭い場所での優れた作業性を確保し、取り付け作業及び取り外し作業を容易にする。【選択図】    図３
2004166778.tif 000002
【特許請求の範囲】
【請求項１】
遊技機のドアフレームに裏側からナットを螺合させることにより、スタートスイッチユニットを前記ドアフレームに取り付ける構造を有するスタートスイッチユニットの取付構造であって、
前記ナットには、前記ドアフレームに向かって延びる雄ネジ部材を螺合させるための固定用雌ネジが設けられ、前記ナットに螺合された前記雄ネジ部材を前記ドアフレーム裏面に当接させることにより、前記ナットと前記ドアフレームとの間に押し拡げる負荷を発生させていることを特徴とするスタートスイッチユニットの取付構造。
【請求項２】
前記ナットの周縁部分に、前記固定用雌ネジを複数設け、これらの固定用雌ネジのうち、前記スタートスイッチユニットの中心軸に対して一方に偏った側の固定用雌ネジに前記雄ネジ部材を螺合させることにより、前記スタートスイッチユニットの中心軸に対してオフセットした位置に、前記押し拡げる負荷を発生させていることを特徴とする請求項１記載のスタートスイッチユニットの取付構造。
【請求項３】
前記ドアフレームには、前記スタートスイッチユニットが挿通される支持孔が設けられ、前記ドアフレームの前記支持孔の周辺部分には、前記スタートスイッチユニットの長手方向に延びる筒状の支持側壁が設けられ、この支持側壁により、前記支持孔が前記スタートスイッチユニットの長手方向に延長されていることを特徴とする請求項１又は２記載のスタートスイッチユニットの取付構造。
【発明の詳細な説明】
【０００１】
【発明が属する技術分野】
本発明は、遊技を開始させるためのスタートスイッチユニットを、スロットマシン等の遊技機に取り付けるのに好適なスタートスイッチユニットの取付構造に関する。
【０００２】
【従来の技術】
従来から、スロットマシンやパチンコ遊技機等の遊技機は、人々に娯楽を提供するための手段として利用されている。このうち、スロットマシンは、複数種類の図柄が記されるとともに回転駆動可能に設けられた複数の回転リールを備えた遊技機である。このような遊技機では、メダルを投入して遊技を開始し、回転駆動させた複数の回転リールを適宜停止させ、これらの回転リールに表示された図柄が特定の組合せとなったときに入賞となる。そして、入賞すると、入賞した役に応じた数のメダルが遊技機から払い出されることとなる。
【０００３】
このような遊技機には、回転リールの回転駆動を開始させる等、遊技機に所定の動作を開始させるためのスタートスイッチユニットが設けられている。スロットマシンのスタートスイッチユニットとしては、フレームに揺動自在に軸支された操作レバーを有するものが一般的である。そして、操作レバーの先端は、中立位置から、この中立位置の両側に設定された折り返し位置まで移動可能とされるとともに、折り返し位置から中立位置に復帰可能となっている。
ここで、遊技者が遊技に熱中するあまり、操作レバーを乱暴に操作することがあるので、スタートスイッチユニットは、操作レバーが乱暴に扱われても耐えうるように、頑丈に作られている。
【０００４】
このようなスタートスイッチユニットを遊技機に取り付ける取付構造としては、スタートスイッチユニットに、遊技機のドアフレームの裏側からナットを螺合する構造が採用できる。
すなわち、スタートスイッチユニットの操作レバーを軸支しているフレームは、略円筒形に形成されている。この略円筒状のフレームは、外周面にネジ溝が形成された雄ネジ状のものであり、操作レバーを突出させている側の端縁には、径方向外側へ突出する鍔部が設けられている。一方、遊技機のドアフレームには、スタートスイッチユニットのフレームを挿通させる挿通孔が設けられている。この挿通孔の内径は、フレームの雄ネジ状部分の外径よりは大きく、フレームの鍔部の外径よりも小さく設定されている。ドアフレームの表側から挿通孔に挿通されたスタートスイッチユニットのフレームには、ドアフレームの裏側からナットが螺合され、これにより、スタートスイッチユニットが遊技機に取り付けられるようになっている（例えば、特許文献１参照。）。
【０００５】
【特許文献１】
特開平１０−３２８３５２号公報
【０００６】
ここで、レンチ等の工具で、スタートスイッチユニットのナットをきつく締めておけば、乱暴な取り扱いにより操作レバーに衝撃が加わっても、ナットが緩むことがなく、ナットの緩みによるスタートスイッチユニットのがた付きを長期間防止することができる。
なお、スタートスイッチユニットを固定するためのナットとして、回転操作が手動で容易に行える蝶ナットを採用したとしても、長期にわたって、スタートスイッチユニットのがた付きを防止する場合には、レンチ等の工具で蝶ナットを締め付けておくことが好ましい。
【０００７】
【発明が解決しようとする課題】
前述のようなスタートスイッチユニットの取付構造では、レンチ等の工具でナットをきつく締めるにあたり、スタートスイッチユニットの長手方向に沿って工具を動かし、ナットに工具を嵌め込み、この状態で工具を回転操作する、という一連の作業を、ドアフレーム裏側の狭い空間内で行うので、取り付け作業が面倒であるという問題がある。また、取り付け作業の手順を逆に行うことで、スタートスイッチユニットを取り外すので、取り付け作業と同様に、取り外し作業も面倒であるという問題がある。
特に、ドアフレームを回転自在に支持している蝶番の近くに、スタートスイッチユニットが取り付けられている場合、スタートスイッチユニットの周辺に別の部品が配置されている場合、或いは、遊技機が配置された場所が狭いため、若しくは、遊技機そのものの構造上、ドアフレームを９０度以上開くことができない場合には、ドアフレーム裏側の狭い作業空間がさらに限定され、工具の回転角度が著しく狭くなり、取り付け作業、及び、取り外し作業が著しく面倒であるという問題が発生する。
【０００８】
そこで、各請求項にそれぞれ記載された各発明は、上記した従来の技術の有する問題点に鑑みてなされたものであり、その目的とするところは、がた付きなくスタートスイッチユニットを取り付けることができるうえ、取り付け作業及び取り外し作業が容易に行えるスタートスイッチユニットの取付構造を提供することである。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１記載の発明は、遊技機（１）のドアフレーム（２Ａ）に裏側からナット（７）を螺合させることにより、スタートスイッチユニット（４）を前記ドアフレーム（２Ａ）に取り付ける構造を有するスタートスイッチユニット（４）の取付構造であって、前記ナット（７）には、前記ドアフレーム（２Ａ）に向かって延びる雄ネジ部材（７２）を螺合させるための固定用雌ネジ（７３）が設けられ、前記ナット（７）に螺合された前記雄ネジ部材（７２）を前記ドアフレーム（２Ａ）裏面に当接させることにより、前記ナット（７）と前記ドアフレーム（２Ａ）との間に押し拡げる負荷を発生させていることを特徴とする。
【００１１】
（作用）
本発明によれば、スタートスイッチユニット（４）のナット（７）を手で締めた後、ナット（７）に螺合させた雄ネジ部材（７２）をドアフレーム（２Ａ）裏面に当接させ、この状態で、ネジの回転操作及び締め付けを行うための工具であるスクリュー・ドライバー（以下、「ドライバー」という。）で、雄ネジ部材（７２）を締め付ければ、スタートスイッチユニット（４）及びナット（７）のネジ山同士が互いに密着し、スタートスイッチユニット（４）とナット（７）との間のがた付きが解消され、これにより、スタートスイッチユニット（４）は、がた付きなくドアフレーム（２Ａ）に取り付けられることとなる。
そのうえ、ドアフレーム（２Ａ）裏面に当接している雄ネジ部材（７２）を締め付けることにより、ナット（７）とドアフレーム（２Ａ）との間に押し拡げる負荷を発生させるようにしたので、乱暴な取り扱いにより操作レバー（６）に衝撃が加わっても、ナット（７）が緩むことがなく、ナット（７）の緩みによるスタートスイッチユニット（４）のがた付きを長期間防止することができる。
【００１２】
ここで、一般的なドライバーで雄ネジ部材（７２）を締め付けるようにしたので、狭い場所でも優れた作業性が確保され、狭い場所での作業に適さないレンチ等の工具で締め付ける場合と比べて、スタートスイッチユニット（４）の取り付け作業が著しく容易となり、取り外し作業も、取り付け作業と同様に容易に行える。
また、ドアフレーム（２Ａ）を回転自在に支持している蝶番（２Ｂ）の近くに、スタートスイッチユニット（４）が取り付けられている場合、周辺の別の部品がスタートスイッチユニット（４）を覆うように配置されている場合、或いは、遊技機（１）が配置された場所が狭いため、若しくは、遊技機（１）そのものの構造上、ドアフレーム（２Ａ）を９０度以上開くことができない場合でも、一般的なドライバーを利用するので、狭い作業空間で回転操作が容易に行え、取り付け作業、及び、取り外し作業が容易に行えるようになる。
【００１３】
（請求項２）
（特徴点）
請求項２記載の発明は、前述した請求項１に記載の発明において、次の特徴点を備えているものである。
すなわち、請求項２記載の発明は、前記ナット（７）の周縁部分に、前記固定用雌ネジ（７３）を複数設け、これらの固定用雌ネジ（７３）のうち、前記スタートスイッチユニット（４）の中心軸に対して一方に偏った側の固定用雌ネジ（７３）に前記雄ネジ部材（７２）を螺合させることにより、前記スタートスイッチユニット（４）の中心軸に対してオフセットした位置に、前記押し拡げる負荷を発生させていることを特徴とする。
【００１４】
（作用）
本発明によれば、スタートスイッチユニット（４）の中心軸に対してオフセットした位置に、ナット（７）とドアフレーム（２Ａ）との間隔を押し拡げる負荷が発生し、この負荷が、スタートスイッチユニット（４）の中心軸に対し、ナット（７）の中心軸を僅かに傾斜させ、スタートスイッチユニット（４）とナット（７）との間に大きな静止摩擦抵抗力を発生させ、この静止摩擦抵抗力によってもナット（７）の緩みが防止される。
これにより、ナット（７）及び雄ネジ部材（７２）の各々を締め付ける際に、ナット（７）及び雄ネジ部材（７２）のそれぞれに加える締め付けトルクが比較的小さくとも、スタートスイッチユニット（４）のがた付き防止や、ナット（７）の緩み防止を充分達成できるようになる。
従って、スタートスイッチユニット（４）のがた付き防止及びナット（７）の緩み防止の両方を達成するのに必要な締め付けトルクが軽減され、ナット（７）  及び雄ネジ部材（７２）の締め付け作業が容易となり、この点からも、スタートスイッチユニット（４）の取り付け作業、及び、取り外し作業が容易に行えるようになる。
【００１５】
また、ナット（７）の周縁部分に複数の固定用雌ネジ（７３）を設けたので、ナット（７）の締め付けが完了した時点で、ナット（７）が如何なる回転角度位置で停止していようとも、複数の固定用雌ネジ（７３）のうち、締め付け作業が容易に行える位置に配置された固定用雌ネジ（７３）を選択し、選択した固定用雌ネジ（７３）に雄ネジ部材（７２）を螺合させることにより、雄ネジ部材（７２）の締め付け作業が容易に行え、この点からも、スタートスイッチユニット（４）の取り付け作業、及び、取り外し作業が容易に行えるようになる。
【００１６】
（請求項３）
（特徴点）
請求項３記載の発明は、前述した請求項１又は２記載の発明において、次の特徴点を備えているものである。
すなわち、請求項３記載の発明は、前記ドアフレーム（２Ａ）に、前記スタートスイッチユニット（４）が挿通される支持孔が設けられ、前記ドアフレーム（２Ａ）の前記支持孔（６１）の周辺部分に、前記スタートスイッチユニット（４）の長手方向に延びる筒状の支持側壁（６３）が設けられ、この支持側壁（６３）により、前記支持孔（６１）が前記スタートスイッチユニット（４）の長手方向に延長されていることを特徴とする。
【００１７】
（作用）
本発明によれば、スタートスイッチユニット（４）の長手方向に沿って、支持孔（６１）を延長したので、支持孔（６１）周辺部分の剛性が向上するうえ、支持孔（６１）の内径をスタートスイッチユニット（４）の外径に応じて設定すれば、支持孔（６１）に挿通したスタートスイッチユニット（４）は、支持孔（６１）にフィットするとともに、支持孔（６１）に対する傾斜角度が小さくなる。
これにより、前記押し拡げる負荷の効きが良くなり、当該押し広げる負荷が比較的小さくとも、スタートスイッチユニット（４）のがた付き防止や、ナット（７）の緩み防止を充分達成できるようになる。
従って、スタートスイッチユニット（４）のがた付き防止及びナット（７）の緩み防止の両方を達成するのに必要な雄ネジ部材（７２）の締め付けトルクが軽減され、雄ネジ部材（７２）の締め付け作業が容易に行え、この点からも、スタートスイッチユニット（４）の取り付け作業、及び、取り外し作業が容易に行えるようになる。
【００１８】
【発明の実施の形態】
以下、本発明の実施の一形態を図面に基づき説明する。
（図面の説明）
図１ないし図４は、本発明の実施の一形態を示すものである。図１は、本実施形態に係る遊技機を示す正面図、図２は、本実施形態に係るスタートスイッチユニットを示す正面図、図３は、図２のＩＩＩ−ＩＩＩ線における断面図、図４は、本実施形態に係るナットを示す平面図である。
【００１９】
本実施形態に係る遊技機であるスロットマシン１は、図１に示すように、正面部分が開口された直方体の箱状に形成された筐体２を備えている。この筐体２には、その開口を開閉するドアフレーム２Ａが蝶番２Ｂを介して回動可能に取り付けられている。そして、筐体２の内部には、３個の回転リール３０が横並びに設けられたリールユニット３が設けられている。ドアフレーム２Ａの前面部分には、そのほぼ中央に図柄表示窓２０Ａ  を備えた前面パネル２０が当該前面部分を覆うように設けられている。
【００２０】
また、図柄表示窓２０Ａ  は、３個すべての回転リール３０の回転が停止した際に、縦横３個ずつ配列された計９個の図柄が表示できるように形成されている。
具体的には、左側の回転リール３０の回転が停止すると、図柄表示窓２０Ａ  の左側部分の上段、中段及び下段にそれぞれ１個ずつ、合計３個の図柄が表示されるようになっている。中央及び右側の回転リール３０についても同様に、上段、中段及び下段にそれぞれ１個ずつ、合計３個の図柄が表示されるようになっている。これにより、３個すべての回転リール３０の回転が停止すると、図柄表示窓２０Ａ  には、縦横各３個の計９個からなる図柄が表示可能となっている。
この際、図柄表示窓２０Ａ  に表示された縦横各３個の計９個からなる図柄の配列パターンが、いわゆる「出目」である。
【００２１】
また、ドアフレーム２Ａには、図柄表示窓２０Ａ  よりも下方に、貯留メダルを投入するためのベットスイッチ２１、貯留メダルを払い出すための精算スイッチ２２、回転リール３０の回転を開始させるためのスタートスイッチ４、及び、回転リール３０の回転を停止させるためのストップスイッチ２４等が取り付けられている。
また、図柄表示窓２０Ａ  の右方には、液晶ディスプレイ２５が設けられ、また、図柄表示窓２０Ａ  の上方には、演出用ランプ２６が設けられている。このうち、スタートスイッチ４は、本発明に係るスタートスイッチユニットである。
また、前面パネル２０の下部には、払出口２７が設けられている。この払出口２７の下方には、受け皿２８が設けられ、払出口２７の図中右方には、演出音を発するスピーカ２９が設けられている。
【００２２】
スタートスイッチ４は、図２及び図３に示すように、当該スタートスイッチ４を構成する部品を支持するフレーム５に、手動操作される操作レバー６を軸支させたものである。
このうち、フレーム５は、略円筒形に形成されたものである。スロットマシン１の内部に配置されたフレーム５の端部近傍には、他の部分よりも縮径された縮径部５１が形成されている。フレーム５の中間部分には、外周面にネジ溝を有する雄ネジ部分５２が形成されている。フレーム５の他方の端縁、換言すると、操作レバー６を突出させている側の端縁には、径方向外側へ突出する鍔部５３が設けられている。この鍔部５３の裏面には、ドアフレーム２Ａに形成された支持孔６１と係合する回転止め部５４が突設されている。
操作レバー６の先端には、当該操作レバー６を操作する操作力を受ける握り玉５５が固定されている。
【００２３】
スロットマシン１のドアフレーム２Ａは、厚肉の外皮６２が構造体となった、いわゆるモノコック式のフレームである。ドアフレーム２Ａの裏面には、スタートスイッチ４の長手方向をほぼ水平に支持するために、支持側壁６３が突設されている。すなわち、ドアフレーム２Ａの支持孔６１の周辺部分には、スタートスイッチ４の長手方向に延びる筒状の支持側壁６３が設けられている。この支持側壁６３により、支持孔６１がスタートスイッチ４の長手方向に延長されている。
ここで、支持孔６１の内径は、スタートスイッチ４の外径に応じて設定されている。更に詳しく説明すれば、支持孔６１の内径は、スタートスイッチ４のフレーム５の雄ネジ部分５２の外径よりは若干大きく、フレーム５の鍔部５３の外径よりも充分小さく設定されている。
これにより、支持孔６１に挿通したスタートスイッチ４は、支持孔６１にフィットするとともに、支持孔６１に対する傾斜角度が小さく制限されるようになっている。
【００２４】
ドアフレーム２Ａの表側から支持孔６１に挿通されたスタートスイッチ４のフレーム５には、ドアフレーム２Ａの裏側からナット７が螺合され、これにより、スタートスイッチ４がドアフレーム２Ａに取り付けられている。
ナット７は、図３及び図４に示すように、フレーム５の雄ネジ部分５２と螺合する雌ねじ部分７１を有する雌ねじ部材である。ナット７の周縁部分には、ドアフレームに向かって延びる雄ネジ部材７２を螺合させるための固定用雌ネジ７３が複数設けられている。そして、ナット７の外周縁に沿った端面には、固定用雌ネジ７３の位置に対応して、当該端面から突出する膨出部７４が形成されている。
【００２５】
ここで、複数の固定用雌ネジ７３のうち、スタートスイッチ４の中心軸に対して一方に偏った側、例えば、図４中左方及び下方に配置された固定用雌ネジ７３に雄ネジ部材７２が螺合している。そして、この状態で、雄ネジ部材７２は、回転操作されて締め付けられ、その先端がドアフレーム２Ａの裏面に強く当接している。これにより、ナット７とドアフレーム２Ａとの間に押し拡げる負荷が、スタートスイッチ４の中心軸に対してオフセットした位置に発生するようになっている。
【００２６】
雄ネジ部材７２の先端側の部分、換言すると、ドアフレーム２Ａの裏面側に延びる先端近傍部分は、その外周面にネジ溝がなく、且つ、他の部分よりも縮径された縮径部７５となっている。これにより、ナット７とドアフレーム２Ａとの間隔が離れている場合に、ドアフレーム２Ａの裏面に当接できるように雄ネジ部材７２の長さを確保しても、雄ネジ部材７２の雄ネジ部分が長手方向の途中から始まっているので、ドアフレーム２Ａの裏面に先端を当接するにあたり、雄ネジ部材７２の回転操作が軽減されるようになっている。
【００２７】
このような本実施形態では、ドアフレーム２Ａの表側からスタートスイッチ４を支持孔６１に挿通してから、ドアフレーム２Ａの裏側からナット７をスタートスイッチ４のフレーム５に手で回転操作して螺合する。手でナット７を充分締め付けた後、複数の固定用雌ネジ７３のうち、スタートスイッチ４の中心軸に対して一方に偏った側において、固定用雌ネジ７３の締め付け作業が容易となる位置、具体的には、図４中左方及び下方の位置に配置された固定用雌ネジ７３に雄ネジ部材７２を螺合し、ドライバーで雄ネジ部材７２を締め付ける。
すると、雄ネジ部材７２がドアフレーム２Ａの裏面に当接し、ナット７とドアフレーム２Ａとの間に押し拡げる負荷が発生する。この押し拡げる負荷により、スタートスイッチ４及びナット７のネジ山同士が互いに密着し、スタートスイッチ４とナット７との間のがた付きが解消される。
この際、押し拡げる負荷が発生している部分とは、その中心軸を挟んで反対側となるナット７の一部分は、支持側壁６３に向かって強く押圧されているので、ナット７がドアフレーム２Ａに対してがた付くことがない。これにより、スタートスイッチ４が、がた付きなくドアフレーム２Ａに取り付けられる。
【００２８】
前述のような本実施形態によれば、次のような効果が得られる。
すなわち、スタートスイッチ４のフレーム５に螺合するナット７にドアフレーム２Ａに向かって延びる雄ネジ部材７２を螺合させるための固定用雌ネジ７３を設け、雄ネジ部材７２をドアフレーム２Ａ裏面に当接させることにより、ナット７とドアフレーム２Ａとの間に押し拡げる負荷を発生させるようにしたので、スタートスイッチ４及びナット７のネジ山同士が互いに密着し、スタートスイッチ４とナット７との間のがた付きが解消され、これにより、スタートスイッチ４を、がた付きなくドアフレーム２Ａに取り付けることができる。
【００２９】
また、ドアフレーム２Ａの裏面に当接している雄ネジ部材７２を締め付けることにより、ナット７とドアフレーム２Ａとの間に押し拡げる負荷を発生させるようにしたので、乱暴な取り扱いにより操作レバー６に衝撃が加わっても、ナット７が緩むことがなく、ナット７の緩みによるスタートスイッチ４のがた付きを長期間防止することができる。
【００３０】
さらに、一般的なドライバーで雄ネジ部材７２を締め付けるようにしたので、狭い場所でも優れた作業性が確保され、狭い場所での作業に適さないレンチ等の工具で締め付ける場合と比べて、スタートスイッチ４の取り付け作業を著しく容易に行うことができ、その取り外し作業も、取り付け作業と同様に容易に行うことができる。
【００３１】
また、ドライバーで雄ネジ部材７２を締め付けるようにしたので、狭い作業空間でも回転操作が容易に行え、ドアフレーム２Ａを回転自在に支持している蝶番２Ｂの近くに、スタートスイッチ４が取り付けられている場合、周辺の別の部品がスタートスイッチ４を覆うように配置されている場合、或いは、スロットマシン１が配置された場所が狭いため、若しくは、スロットマシン１そのものの構造上、ドアフレーム２Ａを９０度以上開くことができない場合でも、雄ネジ部材７２の締め付け作業が容易に行えるようになり、スタートスイッチ４の取り付け作業、及び、取り外し作業を容易に行うことができる。
【００３２】
さらに、ナット７の周縁部分に、固定用雌ネジ７３を複数設け、これらの固定用雌ネジ７３のうち、スタートスイッチ４の中心軸に対して一方に偏った側の固定用雌ネジ７３に雄ネジ部材７２を螺合させたので、スタートスイッチ４の中心軸に対してオフセットした位置に、ナット７とドアフレーム２Ａとの間隔を押し拡げる負荷を発生させることができる。そして、この負荷により、スタートスイッチ４の中心軸に対し、ナット７の中心軸を僅かに傾斜させたので、スタートスイッチ４とナット７との間に大きな静止摩擦抵抗力が発生するようになり、この静止摩擦抵抗力によってもナット７の緩みを確実に防止することができる。
これにより、ナット７及び雄ネジ部材７２の各々を締め付ける際に、ナット７及び雄ネジ部材７２のそれぞれに加える締め付けトルクが比較的小さくとも、スタートスイッチ４のがた付き防止や、ナット７の緩み防止を充分達成することができる。
従って、スタートスイッチ４のがた付き防止及びナット７の緩み防止の両方を達成するのに必要な締め付けトルクが軽減され、ナット７  及び雄ネジ部材７２の締め付け作業が容易となり、この点からも、スタートスイッチ４の取り付け作業、及び、取り外し作業を容易にすることができる。
【００３３】
また、ナット７の周縁部分に複数の固定用雌ネジ７３を設けたので、ナット７の締め付けが完了した時点で、ナット７が如何なる回転角度位置で停止していようとも、複数の固定用雌ネジ７３のうち、締め付け作業が容易に行える位置に配置された固定用雌ネジ７３を選択することができ、選択した固定用雌ネジ７３に雄ネジ部材７２を螺合させることにより、雄ネジ部材７２の締め付け作業が容易に行え、この点からも、スタートスイッチ４の取り付け作業、及び、取り外し作業を容易に行うことができる。
【００３４】
ここで、ドアフレーム２Ａの支持孔６１の周辺部分に、スタートスイッチ４の長手方向に延びる筒状の支持側壁６３を設け、この支持側壁６３を設けることにより、支持孔６１をスタートスイッチ４の長手方向に沿って延長したので、支持孔（６１）周辺部分の剛性を向上することができる。
そして、支持孔６１の内径をスタートスイッチ４の外径に応じて設定し、スタートスイッチ４を支持孔６１にフィットさせて、支持孔６１に対するスタートスイッチ４の傾斜角度を小さくしたので、前述の押し拡げる負荷の効きが良くなり、当該押し広げる負荷が比較的小さくとも、当該押し広げる負荷でスタートスイッチ４のがた付き防止や、ナット７の緩み防止を充分達成することができる。
従って、スタートスイッチ４のがた付き防止及びナット７の緩み防止の両方を達成するのに必要な雄ネジ部材７２の締め付けトルクを軽減でき、雄ネジ部材７２の締め付け作業が容易となり、この点からも、スタートスイッチ４の取り付け作業、及び、取り外し作業を容易にすることができる。
【００３５】
さらに、ナット７の外周縁に沿った端面に、固定用雌ネジ７３の位置に対応して膨出部７４を形成したので、手でナット７を回転操作する際に、膨出部７４に指をかけることにより、ナット７の回転操作が容易となり、この点からも、スタートスイッチ４の取り付け作業、及び、取り外し作業を容易に行うことができる。
【００３６】
また、雄ネジ部材７２の雄ネジ部分を長手方向の途中から始まるように形成し、雄ネジ部材７２の螺合が長手方向の途中から始まるようにしたので、ナット７とドアフレーム２Ａとの間隔が離れ、ドアフレーム２Ａの裏面に当接できるように、雄ネジ部材７２を長くする必要があっても、ドアフレーム２Ａの裏面に当接するまでに要する、雄ネジ部材７２の回転操作が軽減され、この点からも、スタートスイッチ４の取り付け作業、及び、取り外し作業を容易に行うことができる。
【００３７】
なお、本発明は、前記実施形態に限定されるものではなく、本発明の目的を達成できる範囲における変形及び改良などをも含むものである。
例えば、ドアフレームとしては、厚肉の外皮を構造体とする、いわゆるモノコック式のフレームに限らず、細長い軸組材、あるいは、四角枠を立体的に組み合わせた骨組み状のフレームでもよい。なお、骨組み状のフレームを採用する場合、フレームに複数の開口が形成されるが、これらの開口は、外皮となる面材で塞げばよい。
【００３８】
また、ナット７の周縁部分に設けられる固定用雌ネジは、４個に限らず、２個又は３個若しくは５個以上でもよく、固定用雌ネジの具体的な数は、実施にあたり適宜選択でき、複数の固定用雌ネジをナット７の周方向に等間隔に設けることが望ましい。
【００３９】
【発明の効果】
（請求項１の効果）
本発明は、以上のような構成により以下のような効果を奏する。
（請求項１の効果）
請求項１記載の発明によれば、次のような効果を奏する。
すなわち、請求項１記載の発明によれば、スタートスイッチユニットのナットを手で締めた後、ナットに螺合させた雄ネジ部材をドアフレーム裏面に当接させ、この状態で、ドライバーで雄ネジ部材を締め付ければ、スタートスイッチユニット及びナットのネジ山同士が互いに密着し、スタートスイッチユニットとナットとの間のがた付きが解消され、これにより、スタートスイッチユニットをがた付きなくドアフレームに取り付けることができる。
【００４０】
そのうえ、ドアフレーム裏面に当接している雄ネジ部材を締め付けることにより、ナットとドアフレームとの間に押し拡げる負荷を発生させるようにしたので、乱暴な取り扱いにより操作レバーに衝撃が加わっても、ナットが緩むことがなく、ナットの緩みによるスタートスイッチユニットのがた付きを長期間防止することができる。
【００４１】
ここで、一般的なドライバーで雄ネジ部材を締め付けるようにしたので、狭い場所でも優れた作業性が確保され、狭い場所での作業に適さないレンチ等の工具で締め付ける場合と比べて、スタートスイッチユニットの取り付け作業を著しく容易に行うことができ、その取り外し作業も、取り付け作業と同様に容易に行うことができる。
また、ドアフレームを回転自在に支持している蝶番の近くに、スタートスイッチユニットが取り付けられている場合、周辺の別の部品がスタートスイッチユニットを覆うように配置されている場合、或いは、遊技機が配置された場所が狭いため、若しくは、遊技機そのものの構造上、ドアフレームを９０度以上開くことができない場合でも、一般的なドライバーを利用するので、狭い作業空間で回転操作が容易に行え、スタートスイッチユニットの取り付け作業、及び、取り外し作業を容易にすることができる。
【００４２】
（請求項２の効果）
請求項２記載の発明によれば、上記した請求項１記載の発明の効果に加え、次のような効果を奏する。
すなわち、請求項２記載の発明によれば、スタートスイッチユニットの中心軸に対してオフセットした位置に、ナットとドアフレームとの間隔を押し拡げる負荷が発生し、この負荷が、スタートスイッチユニットの中心軸に対し、ナットの中心軸を僅かに傾斜させ、スタートスイッチユニットとナットとの間に大きな静止摩擦抵抗力を発生させ、この静止摩擦抵抗力によってもナットの緩みを防止することができる。
これにより、ナット及び雄ネジ部材の各々を締め付ける際に、ナット及び雄ネジ部材のそれぞれに加える締め付けトルクが比較的小さくとも、スタートスイッチユニットのがた付き防止や、ナットの緩み防止を充分達成できる。
従って、スタートスイッチユニットのがた付き防止及びナットの緩み防止の両方を達成するのに必要な締め付けトルクが軽減され、ナット  及び雄ネジ部材の締め付け作業が容易となり、この点からも、スタートスイッチユニットの取り付け作業、及び、取り外し作業を容易にすることができる。
【００４３】
また、ナットの周縁部分に複数の固定用雌ネジを設けたので、ナットの締め付けが完了した時点で、ナットが如何なる回転角度位置で停止していようとも、複数の固定用雌ネジのうち、締め付け作業が容易に行える位置に配置された固定用雌ネジを選択し、選択した固定用雌ネジに雄ネジ部材を螺合させることにより、雄ネジ部材の締め付け作業が容易に行え、この点からも、スタートスイッチユニットの取り付け作業、及び、取り外し作業を容易に行うことができる。
【００４４】
（請求項３の効果）
請求項３記載の発明によれば、上記した請求項１又は２記載の発明の効果に加え、次のような効果を奏する。
すなわち、請求項３記載の発明によれば、スタートスイッチユニットの長手方向に沿って、支持孔を延長したので、支持孔周辺部分の剛性が向上するうえ、支持孔の内径をスタートスイッチユニットの外径に応じて設定すれば、支持孔に挿通したスタートスイッチユニットは、支持孔にフィットするとともに、支持孔）に対する傾斜角度が小さくなる。
これにより、前記押し拡げる負荷の効きが良くなり、当該押し広げる負荷が比較的小さくとも、スタートスイッチユニットのがた付き防止や、ナットの緩み防止を充分達成できるようになる。
従って、スタートスイッチユニットのがた付き防止及びナットの緩み防止の両方を達成するのに必要な雄ネジ部材の締め付けトルクが軽減され、雄ネジ部材）の締め付け作業が容易に行え、この点からも、スタートスイッチユニットの取り付け作業、及び、取り外し作業を容易に行うことができる。
【図面の簡単な説明】
【図１】本発明の実施形態に係る遊技機を示す正面図である。
【図２】前記実施形態に係るスタートスイッチユニットを示す正面図である。
【図３】図２のＩＩＩ−ＩＩＩ線における断面図である。
【図４】前記実施形態に係るナットを示す平面図である。
【符号の説明】
１  遊技機としてのスロットマシン
２Ａ  ドアフレーム
４  スタートスイッチユニット
５  フレーム
６  操作レバー
７  ナット
７２  雄ネジ部材
７３  固定用雌ネジ
【図１】
2004166778.tif 000003
【図２】
2004166778.tif 000004
【図３】
2004166778.tif 000005
【図４】
2004166778.tif 000006